(57)【要約】【課題】  最適なホワイトバランスの維持を可能とする投写型映像表示装置を提供する。【解決手段】  投写型映像表示装置１００は、黄成分光の重畳量Ｒｘが所定値Ｒｐよりも大きいほど、赤入力信号Ｒｉｎ及び緑入力信号Ｇｉｎの階調を低く補正するとともに、黄成分光の重畳量Ｒｘが所定値Ｒｐよりも小さいほど、赤入力信号Ｒｉｎ及び緑入力信号Ｇｉｎの階調を高く補正する補正部１３５を備える。補正部１３５は、赤入力信号Ｒｉｎ及び緑入力信号Ｇｉｎの低階調領域における補正量を、高階調領域における補正量よりも大きくする。【選択図】  図１１
2010072179.tif 000002
【特許請求の範囲】
【請求項１】
赤成分光を変調する赤変調素子、緑成分光を変調する緑変調素子及び青成分光を変調する青変調素子を備えており、前記赤成分光、前記緑成分光及び前記青成分光のいずれかに黄成分光を重畳する投写型映像表示装置であって、
前記黄成分光の重畳量が所定値よりも大きいほど、前記赤入力信号及び前記緑入力信号それぞれの階調を低く補正するとともに、前記黄成分光の重畳量が所定値よりも小さいほど、前記赤入力信号及び前記緑入力信号それぞれの階調を高く補正する補正部を有し、
前記補正部は、前記赤入力信号及び前記緑入力信号ぞれぞれの低階調領域における補正量を、前記赤入力信号及び前記緑入力信号ぞれぞれの高階調領域における補正量よりも大きくする
ことを特徴とする投写型映像表示装置。
【請求項２】
前記補正部は、前記赤入力信号及び前記緑入力信号それぞれの前記低階調領域における前記補正量を、階調が低いほど大きくする
ことを特徴とする請求項１に記載の投写型映像表示装置。
【請求項３】
赤成分光を変調する赤変調素子、緑成分光を変調する緑変調素子及び青成分光を変調する青変調素子を備えており、前記赤成分光、前記緑成分光及び前記青成分光のいずれかに黄成分光を重畳する投写型映像表示装置であって、
前記黄成分光の重畳量が所定値よりも大きいほど、前記青入力信号の階調を高く補正するとともに、前記黄成分光の重畳量が所定値よりも小さいほど、前記青入力信号の階調を低く補正する補正部を有し、
前記補正部は、前記青入力信号の低階調領域における補正量を、前記青入力信号の高階調領域における補正量よりも大きくする
ことを特徴とする投写型映像表示装置。
【請求項４】
前記補正部は、前記青入力信号の前記低階調領域における補正量を、階調が低いほど大きくする
ことを特徴とする請求項３に記載の投写型映像表示装置。
【発明の詳細な説明】
【技術分野】
【０００１】
本発明は、赤成分光、緑成分光及び青成分光に加えて、黄成分光を利用する投写型映像表示装置に関する。
【背景技術】
【０００２】
従来、赤成分光を変調する液晶パネルと、緑成分光を変調する液晶パネルと、青成分光を変調する液晶パネルとを備えた３板式の投写型映像表示装置が一般的に広く知られている。
【０００３】
また、輝度の向上や消費電力の低減を目的として、赤成分光、緑成分光及び青成分光（以下、「ＲＧＢ光」という。）に加えて、黄成分光を利用した投写型映像表示装置も提案されている（例えば、特許文献１）。具体的には、ＲＧＢ光のいずれかに黄成分光を重畳することによって、スクリーン上に投写される投写画像の輝度の向上などが図られている。
【特許文献１】特開２００２−２８７２４７号公報
【発明の開示】
【発明が解決しようとする課題】
【０００４】
一方で、ＲＧＢ光のいずれかに黄成分光を重畳すると、投写画像のホワイトバランスが崩れてしまう。具体的には、色度図上におけるホワイトポイントは、黄成分光の重畳量が大きいほど、黄成分光が重畳されない場合の位置から黄色側にずれてしまう。
【０００５】
そこで、黄成分光の重畳量が大きいほど、赤成分光の変調に用いられる赤入力信号、及び緑成分光の変調に用いられる緑入力信号それぞれの階調は低く補正されるとともに、青成分光の変調に用いられる青入力信号の階調は高く補正される。このように、各入力信号の階調が補正されることによって、各成分光を変調するための各出力信号が生成される。
【０００６】
しかしながら、入力信号のうち低階調領域における補正は視覚によって認識されにくい。そのため、入力信号の全階調にわたって一様に補正をすれば、低階調領域において最適なホワイトバランスを維持することが困難であるという問題があった。
【０００７】
本発明は、上述した問題を解決するためになされたものであり、最適なホワイトバランスの維持を可能とする投写型映像表示装置を提供することを目的とする。
【課題を解決するための手段】
【０００８】
本発明の特徴に係る投写型映像表示装置は、赤成分光を変調する赤変調素子（液晶パネル３０Ｒ）、緑成分光を変調する緑変調素子（液晶パネル３０Ｇ）及び青成分光を変調する青変調素子（液晶パネル３０Ｂ）を備えており、赤成分光、緑成分光及び青成分光のいずれかに黄成分光を重畳する投写型映像表示装置であって、黄成分光の重畳量（重畳量Ｒｘ）が所定値（所定値Ｒｐ）よりも大きいほど、赤入力信号及び緑入力信号それぞれの階調を低く補正するとともに、黄成分光の重畳量が所定値よりも小さいほど、赤入力信号及び緑入力信号それぞれの階調を高く補正する補正部（補正部１３５）を有し、補正部は、赤入力信号及び緑入力信号ぞれぞれの低階調領域における補正量を、赤入力信号及び緑入力信号ぞれぞれの高階調領域における補正量よりも大きくすることを要旨とする。
【０００９】
本発明の特徴において、補正部は、赤入力信号及び緑入力信号それぞれの低階調領域における補正量を、階調が低いほど大きくしてもよい。
【００１０】
本発明の特徴に係る投写型映像表示装置は、赤成分光を変調する赤変調素子、緑成分光を変調する緑変調素子及び青成分光を変調する青変調素子を備えており、赤成分光、緑成分光及び青成分光のいずれかに黄成分光を重畳する投写型映像表示装置であって、黄成分光の重畳量が所定値よりも大きいほど、青入力信号の階調を高く補正するとともに、黄成分光の重畳量が所定値よりも小さいほど、青入力信号の階調を低く補正する補正部を有し、補正部は、青入力信号の低階調領域における補正量を、青入力信号の高階調領域における補正量よりも大きくすることを要旨とする。
【００１１】
本発明の特徴において、補正部は、青入力信号の低階調領域における補正量を、階調が低いほど大きくしてもよい。
【発明の効果】
【００１２】
本発明によれば、最適なホワイトバランスを維持することを可能とする投写型映像表示装置を提供することができる。
【発明を実施するための最良の形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
（投写型映像表示装置の概略）
以下において、実施形態に係る投写型映像表示装置の概略について、図面を参照しながら説明する。図１は、実施形態に係る投写型映像表示装置１００の概略を示す図である。
【００１６】
投写型映像表示装置１００は、後述するように、赤成分光、緑成分光及び青成分光に加えて黄成分光を利用する。
【００１７】
図１に示すように、投写型映像表示装置１００は、光源１０と、複数の液晶パネル３０（液晶パネル３０Ｒ、液晶パネル３０Ｇ、液晶パネル３０Ｂ及び液晶パネル３０Ｙｅ）と、クロスダイクロイックキューブ６０と、投写レンズユニット１１０とを備える。ただし、図１では、光源１０が発する光を均質化するフライアイレンズや、光源１０が発する光の偏光方向を揃えるＰＢＳ（Ｐｏｌａｒｉｚｅｄ  Ｂｅａｍ  Ｓｐｌｉｔｔｅｒ）などが省略されていることに留意すべきである。
【００１８】
光源１０は、白色光を発するＵＨＰランプなどである。すなわち、光源１０が発する光は、赤成分光、緑成分光、青成分光及び黄成分光を少なくとも含む。
【００１９】
黄成分光は、赤成分光及び緑成分光のいずれか一方、又は、赤成分光及び緑成分光の双方に重畳される。本実施形態では、黄成分光は、緑成分光に重畳されており、液晶パネル３０Ｇに入射する。黄成分光の色相は、青成分光の色相に隣接しておらず、赤成分光及び緑成分光の色相に隣接する。
【００２０】
液晶パネル３０Ｒは、後述するように、赤入力信号（具体的には、赤入力信号Ｒｉｎから算出される赤用出力信号Ｒｏｕｔ）に応じて赤成分光を変調する。なお、液晶パネル３０Ｒの光入射側及び光出射側には、一対の偏光板３１Ｒ、３２Ｒが設けられている。
【００２１】
同様に、液晶パネル３０Ｇは、緑入力信号（具体的には、緑入力信号Ｇｉｎから算出される緑用出力信号Ｇｏｕｔ）に応じて緑成分光を変調し、液晶パネル３０Ｂは、青入力信号（具体的には、青入力信号Ｂｉｎから算出される青用出力信号Ｂｏｕｔ）に応じて青成分光を変調する。なお、液晶パネル３０Ｇ及び液晶パネル３０Ｂの光入射側及び光出射側には、一対の偏光板３１Ｇ、３２Ｇ及び一対の偏光板３１Ｂ、３２Ｂが設けられている。
【００２２】
一方で、液晶パネル３０Ｙｅは、赤入力信号、緑入力信号及び青入力信号に基づいて算出される黄用調整信号Ｙｅ’に応じて黄成分光を変調する。これによって、液晶パネル３０Ｙｅの変調量の制御が行われる。ここで、液晶パネル３０Ｙｅの変調量の制御とは、液晶パネル３０Ｙｅを透過する黄成分光の光量の制御である。従って、液晶パネル３０Ｙｅの変調量の制御とは、緑成分光に重畳される黄成分光の重畳量の制御である。
【００２３】
なお、液晶パネル３０Ｙｅの光入射側及び光出射側の少なくとも一方に偏光板が設けられていてもよい。液晶パネル３０Ｙｅから出射される光は、液晶パネル３０Ｇに入射する。すなわち、液晶パネル３０Ｇは、液晶パネル３０Ｙｅとクロスダイクロイックキューブ６０との間に設けられている。
【００２４】
ここで、液晶パネル３０Ｙｅの解像度は、液晶パネル３０Ｒ、液晶パネル３０Ｇ及び液晶パネル３０Ｂの解像度と異なる。具体的には、スクリーン（不図示）上に高精細な映像を表示するために、液晶パネル３０Ｒ、液晶パネル３０Ｇ及び液晶パネル３０Ｂは高い解像度を有する。一方で、液晶パネル３０Ｙｅから出射される光は主として照明光として利用される。従って、液晶パネルに設けられた電極などによって光利用効率が低下しないように、液晶パネル３０Ｙｅの解像度は、液晶パネル３０Ｒ、液晶パネル３０Ｇ及び液晶パネル３０Ｂの解像度よりも低いことが好ましいが同程度であってもよい。
【００２５】
なお、解像度が低いとは、液晶パネル３０Ｙｅが解像度を有していないことも含む概念である。従って、液晶パネル３０Ｙｅは、複数の領域毎に変調量が制御可能に構成されている必要はなく、全面の変調量のみが制御される構成を有していてもよい。
【００２６】
クロスダイクロイックキューブ６０は、液晶パネル３０Ｒ、液晶パネル３０Ｇ及び液晶パネル３０Ｂから出射される光を合成する色合成部である。すなわち、クロスダイクロイックキューブ６０は、液晶パネル３０Ｒから出射される赤成分光、液晶パネル３０Ｇから出射される緑成分光及び黄成分光、液晶パネル３０Ｂから出射される青成分光を合成する。また、クロスダイクロイックキューブ６０は、赤成分光、緑成分光、青成分光及び黄成分光を含む合成光（映像光）を投写レンズユニット１１０側に出射する。
【００２７】
投写レンズユニット１１０は、クロスダイクロイックキューブ６０によって合成された合成光をスクリーン（不図示）上に投写する。
【００２８】
また、投写型映像表示装置１００は、複数のミラー群（ミラー２１〜ミラー２５）を有する。ミラー２１は、青成分光、緑成分光及び黄成分光を含む光を透過し、赤成分光を反射するダイクロイックミラーである。ミラー２２は、赤成分光を液晶パネル３０Ｒ側に反射するミラーである。ミラー２３は、緑成分光及び黄成分光を含む他の光を液晶パネル３０Ｇ側に反射し、青成分光を透過するダイクロイックミラーである。ミラー２４及びミラー２５は、青成分光を液晶パネル３０Ｂ側に反射するミラーである。
【００２９】
ここで、投写型映像表示装置１００は、黄成分光の偏光方向を９０°回転させる位相差板５０をさらに有する。具体的には、位相差板５０は、緑成分光と偏光方向が揃っていた黄成分光の偏光方向を略９０°回転させて、黄成分光を液晶パネル３０Ｇ側に出射する。
【００３０】
（色度図）
以下において、本実施形態に係る色度図について、図面を参照しながら説明する。図２は、所定の階調における色度図を示す図である。
【００３１】
図２に示すように、各色の色相及び彩度は、色度座標軸Ｘ及び色度座標軸Ｙによって表される。赤（Ｒ）及び緑（Ｇ）は、黄（Ｙｅ）に隣接する色相を有する。青（Ｂ）は、黄（Ｙｅ）に隣接しない色相を有する。
【００３２】
図２において、実線で囲まれた範囲は、黄色成分光の重畳量が最小であるケース（以下、最小ケース）における色再現範囲である。点線で囲まれた範囲は、黄色成分光の重畳量が最大であるケース（以下、最大ケース）における色再現範囲である。最大ケースの色再現範囲は、最小ケースの色再現範囲よりも狭い。すなわち、黄色成分光の重畳量の増加に伴って、色再現範囲は縮小する。また、本実施形態では、黄色成分光が緑成分光に重畳されるため、主として、緑（Ｇ）の色相において色再現範囲が縮小する。
【００３３】
ＷＰｃは、最小ケース及び最大ケースにおいて最適化されたホワイトポイント（最も色温度が高いポイント）である。ＷＰＭＡＸは、最大ケースにおいて最適化されていないホワイトポイントである。ＷＰＭＩＮは、最小ケースにおいて最適化されていないホワイトポイントである。
【００３４】
ここで、本実施形態では、「最適化」とは、黄成分光の重畳量が所定値Ｒｐよりも大きいほど、赤入力信号Ｒｉｎ及び緑入力信号Ｇｉｎそれぞれの階調を低く、青入力信号Ｂｉｎの階調を高く補正する一方、黄成分光の重畳量が所定値Ｒｐよりも小さいほど、赤入力信号Ｒｉｎ及び緑入力信号Ｇｉｎそれぞれの階調を高く、青入力信号Ｂｉｎの階調を低く補正することである。このような「最適化」によって、ＷＰＭＡＸ及びＷＰＭＩＮそれぞれの位置は、ＷＰｃの位置に合わせられる。
【００３５】
なお、色度図上において、ＷＰｃは、ＷＰＭＡＸとＷＰＭＩＮとの中間点である。「黄成分光の重畳量の所定値Ｒｐ」とは、補正することなくホワイトポイントがＷＰｃに位置する場合における黄成分光の重畳量である。
【００３６】
（投写型映像表示装置の機能）
以下において、実施形態に係る投写型映像表示装置の機能について、図面を参照しながら説明する。図３は、実施形態に係る投写型映像表示装置１００（制御部１３０）の機能を示すブロック図である。
【００３７】
図３に示すように、制御部１３０は、入力信号受付部１３１と、Ｙｅ置換成分算出部１３２と、パラメータ特定部１３３と、Ｙｅ成分調整部１３４と、補正部１３５とを有する。
【００３８】
入力信号受付部１３１は、赤入力信号Ｒｉｎ、緑入力信号Ｇｉｎ及び青入力信号Ｂｉｎを取得する。入力信号受付部１３１は、赤入力信号Ｒｉｎ、緑入力信号Ｇｉｎ及び青入力信号Ｂｉｎをパラメータ特定部１３３及び補正部１３５に入力する。入力信号受付部１３１は、赤入力信号Ｒｉｎ及び緑入力信号ＧｉｎをＹｅ置換成分算出部１３２に入力する。
【００３９】
Ｙｅ置換成分算出部１３２は、赤成分光及び緑成分光を黄成分光によって代替可能な成分（Ｙｅ置換成分）に対応するＹｅ置換信号Ｗを算出する。
【００４０】
ここで、赤成分光及び緑成分光は、赤成分光及び緑成分光と等しい光量を有する黄成分光によって代替可能である。従って、赤入力信号Ｒｉｎ及び緑入力信号Ｇｉｎは、赤入力信号Ｒｉｎ及び緑入力信号Ｇｉｎと等しい信号強度を有するＹｅ置換信号Ｗによって代替可能である。
【００４１】
従って、Ｙｅ置換成分算出部１３２は、赤入力信号Ｒｉｎ及び緑入力信号Ｇｉｎに基づいて、以下の（式１）に従って、Ｙｅ置換信号Ｗを算出する。
【数１】
2010072179.tif 000003
【００４２】
なお、ｍｉｎ（Ｒｉｎ，Ｇｉｎ）は、赤入力信号Ｒｉｎ及び緑入力信号Ｇｉｎのうち、信号強度が低い入力信号である。Ｙｅ置換成分算出部１３２は、Ｙｅ置換信号ＷをＹｅ成分調整部１３４に入力する。
【００４３】
パラメータ特定部１３３は、赤入力信号Ｒｉｎ、緑入力信号Ｇｉｎ及び青入力信号Ｂｉｎによって再現される映像フレームの平均彩度や平均輝度などを算出する。続いて、パラメータ特定部１３３は、平均彩度に基づいて定められる色再現パラメータα、及び平均輝度に基づいて定められる輝度パラメータβを特定し、色再現パラメータα及び輝度パラメータβをＹｅ成分調整部１３４に入力する。なお、色再現パラメータα及び輝度パラメータβは、赤（Ｒ）、緑（Ｇ）、青（Ｂ）及び黄（Ｙｅ）に相当する色相毎に定められていてもよい。さらに、パラメータαは、色相毎に異なる値であってもよい。
【００４４】
Ｙｅ成分調整部１３４は、黄成分光の重畳量を特定する。Ｙｅ成分調整部１３４は、色再現パラメータα、輝度パラメータβ及びＹｅ置換信号Ｗに基づいて、黄成分光の重畳量を制御する黄調整信号Ｙｅ’を算出する。具体的には、Ｙｅ成分調整部１３４は、以下の（式２）に基づいて、黄調整信号Ｙｅ’を算出する。
【数２】
2010072179.tif 000004
【００４５】
補正部１３５は、黄調整信号Ｙｅ’によって特定される黄成分光の重畳量に応じて、赤入力信号Ｒｉｎ、緑入力信号Ｇｉｎ及び青入力信号Ｂｉｎの階調を補正する。この場合、補正部１３５は、赤入力信号Ｒｉｎ、緑入力信号Ｇｉｎ及び青入力信号Ｂｉｎの階調に応じて、補正量を制御する。
【００４６】
具体的には、補正部１３５は、図４に示すように、重畳量特定部２０１、補正関数生成部２０２、補正関数補正部２０３、補正実行部２０４を備える。
【００４７】
重畳量特定部２０１は、黄調整信号Ｙｅ’に基づいて、緑成分光に重畳される黄成分光の重畳量Ｒｘを特定する。例えば、黄成分光の重畳量Ｒｘは、“０”〜“１”の範囲で指数化される。重畳量“０”は、黄成分光の重畳量Ｒｘが最小値であることを示し、重畳量“１”は、黄成分光の重畳量Ｒｘが最大値であることを示す。
【００４８】
補正関数生成部２０２は、黄成分光の重畳量Ｒｘに応じて、赤入力信号Ｒｉｎ及び緑入力信号Ｇｉｎの補正に用いる補正関数ｆＲＧ（ｔ）と、青入力信号Ｂｉｎの補正に用いる補正関数ｆＢ（ｔ）とを生成する。
【００４９】
まず、補正関数生成部２０２は、黄成分光の重畳量Ｒｘに応じて、補正利得ｇａｉｎＲＧ（Ｒｘ）を算出する。具体的には、図５に示すように、補正利得ｇａｉｎＲＧ（Ｒｘ）は、黄成分光の重畳量Ｒｘが所定値Ｒｐより大きいほど小さくなり、所定値Ｒｐより小さいほど大きくなる。補正利得ｇａｉｎＲＧ（Ｒｘ）は、黄成分光の重畳量Ｒｘの最大値“１”のときに最小値（＜０）となり、黄成分光の重畳量Ｒｘの最小値“０”のときに最大値（＞０）となる。なお、補正利得ｇａｉｎＲＧ（Ｒｘ）は、黄成分光の重畳量Ｒｘが所定値Ｒｐのときに“０”となる。
【００５０】
次に、補正関数生成部２０２は、黄成分光の重畳量Ｒｘに応じて、補正利得ｇａｉｎＢ（Ｒｘ）を算出する。具体的には、図６に示すように、補正利得ｇａｉｎＢ（Ｒｘ）は、黄成分光の重畳量Ｒｘが所定値Ｒｐより大きいほど大きくなり、所定値Ｒｐより小さいほど小さくなる。補正利得ｇａｉｎＢ（Ｒｘ）は、黄成分光の重畳量Ｒｘの最大値“１”のときに最大値（＞０）となり、黄成分光の重畳量Ｒｘの最小値“０”のときに最小値（＜０）となる。なお、補正利得ｇａｉｎＢ（Ｒｘ）は、黄成分光の重畳量Ｒｘが所定値Ｒｐのときに“０”となる。
【００５１】
次に、補正関数生成部２０２は、図７に示すように、予め記憶されている基準関数ｇＲＧ（ｔ）と補正利得ｇａｉｎＲＧ（Ｒｘ）とに基づいて、補正関数ｆＲＧ（ｔ）を生成する。具体的には、補正関数生成部２０２は、以下の（式３）に基づいて、補正関数ｆＲＧ（ｔ）を算出する。
【数３】
2010072179.tif 000005
【００５２】
ここで、基準関数ｇＲＧ（ｔ）は、黄成分光の重畳量Ｒｘが所定値Ｒｐである場合に、赤入力信号Ｒｉｎ及び緑入力信号Ｇｉｎの補正に用いられる関数、いわゆるガンマカーブである。従って、黄成分光の重畳量Ｒｘが所定値Ｒｐより大きい場合には、補正関数ｆＲＧ（ｔ）は基準関数ｇＲＧ（ｔ）より上に位置し、黄成分光の重畳量Ｒｘが所定値Ｒｐより小さい場合には、補正関数ｆＲＧ（ｔ）は基準関数ｇＲＧ（ｔ）より下に位置する。
【００５３】
次に、補正関数生成部２０２は、図８に示すように、予め記憶されている基準関数ｇＢ（ｔ）と補正利得ｇａｉｎＢ（Ｒｘ）とに基づいて、補正関数ｆＢ（ｔ）を生成する。具体的には、補正関数生成部２０２は、以下の（式４）に基づいて、補正関数ｆＢ（ｔ）を算出する。
【数４】
2010072179.tif 000006
【００５４】
ここで、基準関数ｇＢ（ｔ）は、黄成分光の重畳量Ｒｘが所定値Ｒｐである場合に、青入力信号Ｂｉｎの補正に用いられる関数、いわゆるガンマカーブである。従って、黄成分光の重畳量Ｒｘが所定値Ｒｐより大きい場合には、補正関数ｆＢ（ｔ）は基準関数ｇＢ（ｔ）より下に位置し、黄成分光の重畳量Ｒｘが所定値Ｒｐより小さい場合には、補正関数ｆＢ（ｔ）は基準関数ｇＲＧ（ｔ）より上に位置する。
【００５５】
補正関数補正部２０３は、赤入力信号Ｒｉｎ及び緑入力信号Ｇｉｎの低階調領域における補正量を、高階調領域における補正量よりも大きくする。また、補正関数補正部２０３は、赤入力信号Ｒｉｎ及び緑入力信号Ｇｉｎの低階調領域における補正量を、階調が低いほど大きくする。一方で、補正関数補正部２０３は、青入力信号Ｂｉｎの低階調領域における補正量を、高階調領域における補正量よりも大きくする。また、補正関数補正部２０３は、青入力信号Ｂｉｎの低階調領域における補正量を、階調が低いほど大きくする。
【００５６】
まず、補正関数補正部２０３は、赤入力信号Ｒｉｎ及び緑入力信号Ｇｉｎの階調ｔに応じて、補正係数δＲＧを算出する。具体的には、図９に示すように、補正係数δＲＧは、低階調領域において“０”よりも大きく、階調が低いほど大きくなる。
【００５７】
次に、補正関数補正部２０３は、青入力信号Ｂｉｎの階調ｔに応じて、補正係数δＢを算出する。具体的には、図１０に示すように、補正係数δＲＧと同様に、補正係数δＢは、低階調領域において“０”よりも大きく、階調が低いほど大きくなる。
【００５８】
次に、補正関数補正部２０３は、図１１に示すように、基準関数ｇＲＧ（ｔ）と補正利得ｇａｉｎＲＧ（Ｒｘ）と補正係数δＲＧとに基づいて、補正関数ｆ´ＲＧ（ｔ）を生成する。具体的には、補正関数補正部２０３は、以下の（式５）に基づいて、補正関数ｆ´ＲＧ（ｔ）を算出する。
【数５】
2010072179.tif 000007
【００５９】
従って、黄成分光の重畳量Ｒｘが所定値Ｒｐより大きい場合には、補正関数ｆＲＧ（ｔ）の低階調領域における傾きは緩やかに補正され、黄成分光の重畳量Ｒｘが所定値Ｒｐより小さい場合には、補正関数ｆＲＧ（ｔ）の低階調領域における傾きは急峻に補正される。
【００６０】
次に、補正関数補正部２０３は、図１２に示すように、基準関数ｇＢ（ｔ）と補正利得ｇａｉｎＢ（Ｒｘ）と補正係数δＢとに基づいて、補正関数ｆ´Ｂ（ｔ）を生成する。具体的には、補正関数補正部２０３は、以下の（式６）に基づいて、補正関数ｆ´Ｂ（ｔ）を算出する。
【数６】
2010072179.tif 000008
【００６１】
従って、黄成分光の重畳量Ｒｘが所定値Ｒｐより大きい場合には、補正関数ｆＢ（ｔ）の低階調領域における傾きは急峻に補正され、黄成分光の重畳量Ｒｘが所定値Ｒｐより小さい場合には、補正関数ｆＢ（ｔ）の低階調領域における傾きは緩やかに補正される。
【００６２】
補正実行部２０４は、補正関数ｆ´ＲＧ（ｔ）によって、赤入力信号Ｒｉｎ及び緑入力信号Ｇｉｎの補正を実行する。これによって、補正実行部２０４は、赤用出力信号Ｒｏｕｔ及び緑用出力信号Ｇｏｕｔを生成する。同様に、補正実行部２０４は、補正関数ｆ´Ｂ（ｔ）によって、青入力信号Ｂｉｎの補正を実行する。これによって、補正実行部２０４は、青用出力信号Ｂｏｕｔを生成する。
【００６３】
また、補正実行部２０４は、黄調整信号Ｙｅ’を補正せずに黄出力信号Ｙｅｏｕｔとして出力する。
【００６４】
（作用及び効果）
本実施形態に係る補正部１３５は、黄成分光の重畳量Ｒｘが所定値Ｒｐよりも大きいほど、赤入力信号Ｒｉｎ及び緑入力信号Ｇｉｎの階調を低く補正するとともに、黄成分光の重畳量Ｒｘが所定値Ｒｐよりも小さいほど、赤入力信号Ｒｉｎ及び緑入力信号Ｇｉｎの階調を高く補正する。従って、黄成分光の重畳によってホワイトポイントが最適位置より黄色に近づく場合には、ホワイトポイントは青側に補正され、黄成分光の重畳によってホワイトポイントが最適位置より青色に近づく場合には、ホワイトポイントは黄色側に補正される。
【００６５】
さらに、本実施形態に係る補正部１３５は、赤入力信号Ｒｉｎ及び緑入力信号Ｇｉｎの低階調領域における補正量を、高階調領域における補正量よりも大きくする。従って、低階調領域において、より顕著な補正が実行される。
【００６６】
ここで、図１３は、赤入力信号Ｒｉｎを補正関数ｆＲＧ（ｔ）によって補正した場合と、赤入力信号Ｒｉｎを補正関数ｆ´ＲＧ（ｔ）によって補正した場合とにおける赤成分光の色度特性を示している。図１３に示すように、赤成分光の色度値は、補正関数ｆ´ＲＧ（ｔ）によって補正することによって、ＩＲＥ５〜３０において平滑化されることが確認された。
【００６７】
同様に、図１４は、緑入力信号Ｇｉｎを補正関数ｆＲＧ（ｔ）によって補正した場合と、緑入力信号Ｇｉｎを補正関数ｆ´ＲＧ（ｔ）によって補正した場合とにおける緑成分光の色度特性を示している。図１４に示すように、緑成分光の色度値は、補正関数ｆ´ＲＧ（ｔ）によって補正することによって、ＩＲＥ５〜３０において平滑化されることが確認された。
【００６８】
このように、本実施形態に係る投写型映像表示装置１００によれば、低階調領域における補正を視覚によって認識され易くすることができる。その結果、入力信号の全階調に渡って最適なホワイトバランスを維持することができる。
【００６９】
また、本実施形態に係る補正部１３５は、黄成分光の重畳量Ｒｘが所定値Ｒｐよりも大きいほど、青入力信号Ｇｉｎの階調を高く補正するとともに、黄成分光の重畳量Ｒｘが所定値Ｒｐよりも小さいほど、赤入力信号Ｒｉｎ及び緑入力信号Ｇｉｎの階調を低く補正する。従って、黄成分光の重畳によってホワイトポイントが最適位置より黄色に近づく場合には、ホワイトポイントは青側により補正され易く、黄成分光の重畳によってホワイトポイントが最適位置より青色に近づく場合には、ホワイトポイントは黄色側により補正され易い。
【００７０】
さらに、本実施形態に係る補正部１３５は、青入力信号Ｂｉｎの低階調領域における補正量を、高階調領域における補正量よりも大きくする。従って、低階調領域において、より顕著な補正が実行される。そのため、低階調領域における補正を視覚によってより認識され易くすることができる。
【００７１】
（その他の実施形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７２】
例えば、上記実施形態では特に触れていないが、補正部１３５における補正の手法としては、ガンマ補正やオフセット補正、或いはこれらを組合せた手法を適用することができる。
【００７３】
また、上記実施形態では、補正部１３５は、補正関数ｆＲＧ（ｔ）及び補正関数ｆ´ＲＧ（ｔ）を生成することとしたが、補正部１３５は、赤入力信号Ｒｉｎと緑入力信号Ｇｉｎとを別々に補正することとしてもよい。具体的には、補正部１３５は、赤入力信号Ｒｉｎの補正に用いる補正関数ｆＲ（ｔ）及び補正関数ｆ´Ｒ（ｔ）を生成し、緑入力信号Ｇｉｎの補正に用いる補正関数ｆＧ（ｔ）及び補正関数ｆ´Ｇ（ｔ）を生成してもよい。
【００７４】
また、上記実施形態では、補正部１３５は、補正関数生成部２０２と補正関数補正部２０３とを備えることとしたが、補正部１３５は、補正関数生成部２０２を備えなくてもよい。この場合には、補正関数補正部２０３が、基準関数ｇＲＧ（ｔ）と補正利得ｇａｉｎＲＧ（Ｒｘ）と補正係数δＲＧとに基づいて、補正関数ｆ´ＲＧ（ｔ）を直接生成すればよい。
【００７５】
また、上記実施形態では、補正部１３５は、黄出力信号Ｙｅｏｕｔを液晶パネル３０Ｙｅに出力することとしたが、図１５に示すように、制御部１３０は、液晶パネル３０Ｙｅ専用の液晶ドライバ１３６を備えていてもよい。
【００７６】
また、上記実施形態では、黄成分光の重畳量は、液晶パネル３０Ｙｅの変調量によって制御されるが、これに限定されるものではない。例えば、黄成分光の重畳量は、黄成分光の光路上に設けられたアイリス機構によって制御されてもよい。
【００７７】
また、上記実施形態では、光変調素子の一例として、液晶パネルを例に挙げたが、これに限定されるものではない。具体的には、光変調素子は、ＬＣＯＳ（Ｌｉｑｕｉｄ  Ｃｒｙｓｔａｌ  ｏｎ  Ｓｉｌｉｃｏｎ）やＤＭＤ（Ｄｉｇｉｔａｌ  Ｍｉｃｒｏｍｉｒｒｏｒ  Ｄｅｖｉｃｅ）などであってもよい。
【図面の簡単な説明】
【００７８】
【図１】本発明の実施形態に係る投写型映像表示装置１００の概略を示す図である。
【図２】本発明の実施形態に係る色度を示す図である。
【図３】本発明の実施形態に係る投写型映像表示装置１００の機能を示すブロック図である。
【図４】本発明の実施形態に係る補正部１３５の構成を示すブロック図である。
【図５】黄成分光の重畳量Ｒｘと補正利得ｇａｉｎＲＧ（Ｒｘ）との関係を示すグラフである。
【図６】黄成分光の重畳量Ｒｘと補正利得ｇａｉｎＢ（Ｒｘ）との関係を示すグラフである。
【図７】基準関数ｇＲＧ（ｔ）と補正関数ｆＲＧ（ｔ）との関係を示すグラフである。
【図８】本実施形態に係る基準関数ｇＢ（ｔ）と補正関数ｆＢ（ｔ）との関係を示すグラフである。
【図９】赤入力信号Ｒｉｎ及び緑入力信号Ｇｉｎの階調と補正係数δＲＧとの関係を示すグラフである。
【図１０】青入力信号Ｂｉｎの階調と補正係数δＢとの関係を示すグラフである。
【図１１】基準関数ｇＲＧ（ｔ）、補正関数ｆＲＧ（ｔ）及び補正関数ｆ´ＲＧ（ｔ）の関係を示すグラフである。
【図１２】基準関数ｇＢ（ｔ）、補正関数ｆＢ（ｔ）及び補正関数ｆ´Ｂ（ｔ）の関係を示すグラフである。
【図１３】赤成分光の色度特性を示すグラフである。
【図１４】緑成分光の色度特性を示すグラフである。
【図１５】本実施形態に係る投写型映像表示装置１００の機能を示すブロック図である。
【符号の説明】
【００７９】
１０…光源
２１〜２５…ミラー
３０…液晶パネル
３１…偏光板
５０…位相差板
６０…クロスダイクロイックキューブ
１００…投写型映像表示装置
１１０…投写レンズユニット
１３０…制御部
１３１…入力信号受付部
１３２…Ｙｅ置換成分算出部
１３３…パラメータ特定部
１３４…Ｙｅ成分調整部
１３５…補正部
２０１…重畳量特定部
２０２…補正関数生成部
２０３…補正関数補正部
２０４…補正実行部
【図１】
2010072179.tif 000009
【図２】
2010072179.tif 000010
【図３】
2010072179.tif 000011
【図４】
2010072179.tif 000012
【図５】
2010072179.tif 000013
【図６】
2010072179.tif 000014
【図７】
2010072179.tif 000015
【図８】
2010072179.tif 000016
【図９】
2010072179.tif 000017
【図１０】
2010072179.tif 000018
【図１１】
2010072179.tif 000019
【図１２】
2010072179.tif 000020
【図１３】
2010072179.tif 000021
【図１４】
2010072179.tif 000022
【図１５】
2010072179.tif 000023